(57)【要約】【課題】アルカリイオン整水器において、カルシウムの補充を簡単に行えるようにする。【課題手段】水を電気分解してアルカリイオン水および酸性イオン水を生成する電解槽３２を備えた整水器本体５と、シンク上に設置され、目的の電気分解水を送水する吐水連結管６および目的外の電気分解水を排水する排水連結管７とで整水器本体５と連結され、目的の電気分解水を吐水する吐水パイプ１１および目的外の電気分解水を排水する排水パイプ１２が設置された水栓１０と、水栓１０に設けられるとともに整水器本体５から濾過水または水道水が給水されるカルシウム添加用往路管８およびこれを整水器本体５の電解槽３２の入り口側に戻すカルシウム添加用復路管９とを介して整水器本体５と連結され、カルシウム添加用往路管８から送られた水にカルシウムを投入するカルシウム添加部１４と、を有する構成とする。【選択図】図１
2005177657.tif 000002
【特許請求の範囲】
【請求項１】
水を電気分解してアルカリイオン水および酸性イオン水を生成する電解槽を備えた整水器本体と、
シンク上に設置され、目的の電気分解水を送水する吐水連結管および目的外の電気分解水を排水する排水連結管とで前記整水器本体と連結され、目的の電気分解水を吐水する吐水パイプおよび目的外の電気分解水を排水する排水パイプが設置された水栓と、
前記水栓に設けられるとともに前記整水器本体から濾過水または水道水が給水されるカルシウム添加用往路管およびこれを前記整水器本体の前記電解槽の入り口側に戻すカルシウム添加用復路管とを介して前記整水器本体と連結され、前記カルシウム添加用往路管から送られた水にカルシウムを投入するカルシウム添加部とを有することを特徴とするアルカリイオン整水器。
【請求項２】
前記カルシウム添加部は前記水栓に対して着脱可能に設けられていることを特徴とする請求項１記載のアルカリイオン整水器。
【請求項３】
前記カルシウム添加部が前記水栓の後部に配置されたことを特徴とする請求項１または２記載のアルカリイオン整水器。
【請求項４】
前記整水器本体から前記カルシウム添加部に至る流路および前記カルシウム添加部から前記整水器本体に至る流路に、前記カルシウム添加部を装着したときには前記流路を開放し、これを離脱したときには前記流路を閉塞する弁部材が配置されていることを特徴とする請求項１〜３の何れか一項に記載のアルカリイオン整水器。
【発明の詳細な説明】
【技術分野】
【０００１】
本発明は、アルカリイオン整水器に関し、特に、水栓の設置されたシンクの下に配置され、水道水中の不純物を濾過するための濾材が内蔵された浄水カートリッジを有し、電気分解を利用しアルカリイオン水を生成する本体が水道配管と連結設置され、ホース等で水栓と本体が連結されるビルトインタイプのアルカリイオン整水器に関するものである。
【背景技術】
【０００２】
近年、水道水の水質悪化に伴って消費者の飲料水への関心が高まり、水道水を浄化する浄水器やアルカリイオン整水器が普及してきた。特に、流し台スペースが確保でき、台所作業で邪魔にならないビルトインタイプが最近急速に普及率を伸ばしている。そして、近年のシステムキッチンはスライド収納式のキッチンが主流を占め、ビルトインタイプのアルカリイオン整水器はそのスライド収納の奥側に配置されるようになってきた。
【０００３】
このようにアルカリイオン整水器の普及率が高まるにつれ、浄水カートリッジの交換やカルシウム添加について更に使い勝手の向上が望まれるようになっている。
【０００４】
従来におけるビルトインタイプのアルカリイオン整水器は、水道配管と連結する連結部と、水道水供給のＯＮ／ＯＦＦを制御する電磁弁と、水道水を濾過するための濾材を収納した浄水カートリッジと、カルシウムを添加するカルシウム添加部と、水道水または濾過水を電気分解してアルカリイオン水および酸性水を生成する電解槽とを備えた本体を有している。さらに、シンク上でユーザが水質を選択することができる表示パネルを備え、吐水管および排水管を有する水栓がホース等の連結部材によって連結されており、表示パネルの操作によってアルカリ水、酸性水、浄水に水質を切り換え、所望の水を吐出させることができるようになっている。
【０００５】
以下、従来のビルトインタイプのアルカリイオン整水器について詳細に説明する。ここで、図９は従来におけるシンクに設置されたビルトインタイプのアルカリイオン整水器を示す概略図、図１０は図９のアルカリイオン整水器の内部構造を示す説明図である。
【０００６】
図９において、アルカリイオン整水器は、水道配管を水道水の蛇口とアルカリイオン整水器の整水器本体５４とに分岐する分岐水栓５１、水道水からの供給路をＯＮ／ＯＦＦ制御する電磁弁５２、整水器本体５４へ給水する給水ホース５３を備えている。また、図１０において、整水器本体５４は、定流量弁７０を介して導入される水道水の不純物を濾過する浄水カートリッジ７１、水道水を電気分解する電解槽７２、装置の動作を制御する制御装置（図示せず）などが内部に配置されている。さらに、整水器本体５４内には、電気分解の促進剤であるカルシウムを水道水に添加するカルシウム添加部６２が設置され、浄水カートリッジ７１から電解槽７２に至る流路上には流量センサ７４が取り付けられている。なお、電解槽７２においては、陰極でアルカリイオン水が、陽極で酸性水が生成される。
【０００７】
シンク上には水栓５７が取り付けられており、整水器本体５４と水栓５７とは、目的の電気分解水を通水する吐水連結管５５で接続されている。また、整水器本体５４と水栓５７とは、目的の電気分解水に対して反対の性質を持ち同時に生成される電解水を排水する排水連結管５６とも接続されている。そして、吐水連結管５５には逆止弁７３が、排水連結管５６には電磁弁７５が取り付けられている。さらに、整水器本体５４と水栓５７とは、水栓５７の操作を整水器本体５４の制御部へ信号として送る信号ケーブル６１で電気的に接続されている。
【０００８】
水栓５７には、水質選択と水道水供給のＯＮ／ＯＦＦや水質選択などを選択する操作パネル５８、目的の電気分解水を吐水する吐水パイプ５９、目的の電気分解水の反対性質を持ち同時に生成される電解水を排水する排水パイプ６０が設置されている。
【０００９】
ここで、当該アルカリイオン整水器における水の流れおよび簡単な動作を説明する。
【００１０】
操作パネル５８の止水／通水スイッチを押すと、電磁弁５２が通水路を開き、水道水は水道配管から給水ホース５３を介して整水器本体５４に流入する。整水器本体５４内では、水道水が浄水カートリッジ７１で濾過され、カルシウム添加部６２でグリセロリン酸カルシウムなどの食品添加物に指定された電解促進剤が添加されて電解槽７２に流入する。そして、操作パネルでアルカリ水が選択されている場合は、水道水は電解槽７２内で電気分解され、アルカリ水は吐水連結管５５へ流出し、水栓５７内の吐水路部材を通り、吐水パイプ５９より吐水される。また、酸性水は排水連結管５６へ流出し、水栓５７内の排水路を通り、排水パイプ６０より排水される。
【００１１】
また、操作パネル５８で酸性水が選択されている場合は、水道水は図１０に示す場合と逆の極性とされた電解槽７２内で電気分解され、酸性水は吐水連結管５５へ流出し、水栓５７内の吐水路部材を通り、吐水パイプ５９より吐水される。また、アルカリ水は排水連結管５６へ流出し、水栓５７内の排水路部材を通り、排水パイプ６０より排水される。
【００１２】
そして、操作パネル５８で浄水が選択されている場合は、水道水は電解槽７２内で電気分解はされないで各々吐水パイプ９５や排水パイプ６０より吐水される。
【００１３】
浄水使用時に排水カット機能を設けた場合は、全流量が吐水パイプ５９へ流出する機構が設けられたものもある。
【００１４】
なお、アルカリイオン整水器については、たとえば実開平６−７７８９１号公報などに開示されている。
【特許文献１】実開平６−７７８９１号公報
【発明の開示】
【発明が解決しようとする課題】
【００１５】
前述したように、従来のビルトインタイプのアルカリイオン整水器において、カルシウム添加部はシンク下の整水器本体内に設置されていた。この場合、ユーザはカルシウムを定期的に添加しなければならない。
【００１６】
しかしながら、近年において急速に普及しているスライド収納のキッチンでは、スライド収納内の収容物を取り出し、スライド収納引出しを外し、整水器本体からカルシウムの添加、補充を実施しなければならない。
【００１７】
カルシウム添加は、機種にもよるが、約１週間から２週間に１回での補充が一般的で、濾材である浄水カートリッジの寿命の約１年相当に比較して補充がかなり頻繁となる。また、交換、補充には上記のようにスライド収納の収容物を取り出し、引出しを取り出さなくてはならないので、ユーザにとっては使い勝手が非常に悪い。
【００１８】
次に、構造について、従来では、アルカリイオン整水器の整水器本体の浄水カートリッジの上部に位置する出口部にカルシウムの添加口を設けるのが一般的である。これは、濾材である浄水カートリッジにおける濾材性能を効率的にするために流速を落として吸着効率を高める必要と、均一に水を行き渡らせるために下から水を押し上げるためである。ま
た、浄水カートリッジは容積が大きいので、断水等で空気が進入した際、空気を排出しやすくするためである。これは、安全性を高めるために多くのビルトインタイプのアルカリイオン整水器は元止め方式を採用しているのに対し、空気が溜まることによって止水したときに水切れが悪化するのを防止するメリットもある。通水中は水圧によって内部に滞留している空気が圧縮されるが、止水した場合、外気の大気圧と同圧になるまでの時間が必要となる。このタイムラグを短縮するためにも浄水カートリッジの上部吐水は効果的である。
【００１９】
そして、このままカルシウムを添加して電解槽で電気分解してアルカリイオン水を供給できれば最も効率が良くなるが、配管が縦長となってしまうので、キッチンにおける寸法的な制約から小型化を図る必要がある。
【００２０】
通常、電解槽の形状は浄水カートリッジと異なるが、容積的には浄水カートリッジと同等サイズある。また、アルカリイオン整水器は電気分解を必要とするので制御装置が必要である。
【００２１】
以上より、アルカリイオン整水器を小型化するには浄水カートリッジの側面に電解槽と制御装置を配置するようになり、不可避的に配管を下方に一度折り返す必要がある。そして、この折り返しの一部を流用してカルシウムの添加口が配置されている。これでは、カルシウム添加の開口部が整水器本体の上部に設置されるので、逆止弁だけ設置すればカルシウム添加部を開口した際も水漏れが発生しない。
【００２２】
しかし、近年のスライド収納タイプキッチンの場合には、収納を優先しているのでアルカリイオン整水器の整水器本体はスライド収納ユニットの奥部に設置されてしまう。この場合は、前述のように、１〜２週間程度の頻度でスライド収納まで外してキッチン下にもぐってカルシウムを補充をする必要があった。
【００２３】
そこで、本発明は、カルシウムの補充を簡単に行うことのできるアルカリイオン整水器を提供することを目的とする。
【課題を解決するための手段】
【００２４】
上記目的を達成するために、本発明のアルカリイオン整水器は、水を電気分解してアルカリイオン水および酸性イオン水を生成する電解槽を備えた整水器本体と、シンク上に設置され、目的の電気分解水を送水する吐水連結管および目的外の電気分解水を排水する排水連結管とで前記整水器本体と連結され、目的の電気分解水を吐水する吐水パイプおよび目的外の電気分解水を排水する排水パイプが設置された水栓と、前記水栓に設けられるとともに前記整水器本体から濾過水または水道水が給水されるカルシウム添加用往路管およびこれを前記整水器本体の前記電解槽の入り口側に戻すカルシウム添加用復路管とを介して前記整水器本体と連結され、前記カルシウム添加用往路管から送られた水にカルシウムを投入するカルシウム添加部とを有することを特徴とする。
【発明の効果】
【００２５】
本発明によれば、シンク上の水栓にカルシウム添加部を設けているので、スライド収納式キッチン等であっても、収容物や引出しを取り出すことなく、またシンク下にもぐることもなく、立った姿勢で簡単にカルシウムの補充ができるという有効な効果が得られる。
【００２６】
これにより、作業性を大幅に改善することが可能になるという有効な効果が得られる。
【発明を実施するための最良の形態】
【００２７】
本発明の請求項１に記載の発明は、水を電気分解してアルカリイオン水および酸性イオ
ン水を生成する電解槽を備えた整水器本体と、シンク上に設置され、目的の電気分解水を送水する吐水連結管および目的外の電気分解水を排水する排水連結管とで整水器本体と連結され、目的の電気分解水を吐水する吐水パイプおよび目的外の電気分解水を排水する排水パイプが設置された水栓と、水栓に設けられるとともに整水器本体から濾過水または水道水が給水されるカルシウム添加用往路管およびこれを整水器本体の電解槽の入り口側に戻すカルシウム添加用復路管とを介して整水器本体と連結され、カルシウム添加用往路管から送られた水にカルシウムを投入するカルシウム添加部とを有するアルカリイオン整水器であり、スライド収納式キッチン等であっても、収容物や引出しを取り出すことなく、またシンク下にもぐることもなく、立った姿勢で簡単にカルシウムの補充が可能になるという作用を有する。
【００２８】
本発明の請求項２に記載の発明は、請求項１記載の発明において、カルシウム添加部は水栓に対して着脱可能に設けられているアルカリイオン整水器でありカルシウム添加部を水栓から取り外してカルシウムを投入できるので、カルシウム補充時の作業性がより向上するという作用を有する。
【００２９】
本発明の請求項３に記載の発明は、請求項１または２記載の発明において、カルシウム添加部が水栓の後部に配置されたアルカリイオン整水器であり、通常使用時の際の操作性を失うことなく、デザインをシンプルにできるという作用を有する。
【００３０】
本発明の請求項４に記載の発明は、請求項１〜３の何れか一項に記載の発明において、整水器本体からカルシウム添加部に至る流路およびカルシウム添加部から整水器本体に至る流路に、カルシウム添加部を装着したときには流路を開放し、これを離脱したときには流路を閉塞する弁部材が配置されているアルカリイオン整水器であり、カルシウム補給時における位置水頭差による漏水のおそれを未然に防止することが可能になるという作用を有する。
【００３１】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３２】
図１は本発明の一実施の形態におけるシンクに設置されたビルトインタイプのアルカリイオン整水器を示す概略図、図２は図１のアルカリイオン整水器の内部構造を示す説明図、図３は図１のアルカリイオン整水器に設けられた水栓の長さ方向に沿った断面図、図４は図１のアルカリイオン整水器に設けられた水栓の正面図、図５は図３の水栓においてカルシウム添加配管部を拡大して示す断面図、図６は図４の水栓の底面図、図７は図３の水栓の径方向に沿った断面図、図８は図３の水栓におけるカルシウム添加配管部のカルシウム添加筒を取り外したときの径方向に沿った断面図である。
【００３３】
図１および図２において、アルカリイオン整水器は、水道配管１を水道水の蛇口とアルカリイオン整水器の整水器本体５とに分岐する分岐水栓２、水道水からの供給路を開閉するメンテナンス用としての止水栓３、整水器本体５へ給水する給水ホース４を備えている。また、図２において、整水器本体５は、定流量弁３０を介して導入される水道水の不純物を濾過する浄水カートリッジ３１、水道水を電気分解する電解槽３２、装置の動作を制御する制御装置（図示せず）などが内部に配置されている。さらに、浄水カートリッジ３１から電解槽３２に至る流路上には流量センサ３４が取り付けられている。なお、電解槽３２においては、陰極でアルカリイオン水が、陽極で酸性水が生成される。
【００３４】
シンク上には水栓１０が取り付けられており、整水器本体５と水栓１０とは、目的の電
気分解水を通水する吐水連結管６で接続されている。また、整水器本体５と水栓１０とは、目的の電気分解水に対して反対の性質を持ち同時に生成される電解水を排水する排水連結管７とも接続されている。そして、吐水連結管６には逆止弁３３が、排水連結管７には電磁弁３５が取り付けられている。さらに、整水器本体５と水栓１０とは、水栓１０に設けられた操作パネル１３に入力された操作内容を整水器本体５の制御部へ信号として送る信号ケーブル１５で電気的に接続されている。
【００３５】
水栓１０には、水質選択と水道水供給のＯＮ／ＯＦＦや水質選択などを選択する操作パネル１３、目的の電気分解水を吐水する吐水パイプ１１、目的の電気分解水の反対性質を持ち同時に生成される電解水を排水する排水パイプ１２が設置されている。
【００３６】
水栓１０には、カルシウム添加部１４が設けられている。このカルシウム添加部１４は、整水器本体５から濾過水または水道水が給水されるカルシウム添加用往路管８、およびこれを整水器本体５側に戻すカルシウム添加用復路管９とが接続されている。なお、カルシウム添加用往路管８およびカルシウム添加用復路管９は整水器本体５における電解槽３２の入り口側に配管されている。
【００３７】
ここで、当該アルカリイオン整水器における水の流れおよび簡単な動作を説明する。
【００３８】
操作パネル１３の止水／通水スイッチを押すと、整水器本体５内の電磁弁３９が通水路を開き、水道水は水道配管１から分岐水栓２、止水栓３、給水ホース４を介して整水器本体５に流入する。整水器本体５内では、水道水が浄水カートリッジ３１で濾過される。そして、濾過された浄水がカルシウム添加用往路管８を通って水栓１０に送水され、カルシウム添加部１４へと流入する。
【００３９】
このカルシウム添加部１４はシンク上部より着脱自在に構成されており、カルシウム添加部１４に設けられたフィルタ付の添加筒２０に食品添加物に指定されているグリセロリン酸カルシウムなどのカルシウムを投入する。このカルシウムは電気分解の促進剤として使用されるもので、アルカリイオン整水器を製造するに必要な医療用物質生成器、アルカリイオン整水器のガイドラインにも、定義として「食品添加用のカルシウム化合物を入れた原水を電解槽に入れ・・・」と記載があるように、カルシウムを添加する箇所が必要不可欠である。
【００４０】
本出願では、水栓１０に設置されたカルシウム添加部１４でカルシウムが溶解されてカルシウムの濃度が上昇した浄水がカルシウム添加用復路管９によって電解槽３２に流入するので、電気分解を安定して行うことが可能となる。そして、これにより、スライド収納式キッチン等であっても、収容物や引出しを取り出すことなく、またシンク下にもぐることもなく、立った姿勢で簡単にカルシウムの補充ができ、作業性を大幅に改善することが可能になる。
【００４１】
なお、カルシウム添加部１４の詳細な構成は、図３、図５および図７を用いて後述する。
【００４２】
操作においては、操作パネル１３でアルカリ水が選択されている場合は、水道水は電解槽３２内で電気分解され、アルカリ水は吐水連結管６へ流出し、水栓１０内の通水路を通り、吐水パイプ１１より吐水する。また、同時に生成される酸性水は排水連結管７へ流出し、水栓１０内の通水路を通り、排水パイプ１２より排水する。
【００４３】
また、操作パネル１３で酸性水が選択されている場合は、水道水は図２に示す場合と逆の極性とされた電解槽３２内で電気分解され、酸性水は吐水連結管６へ流出し、水栓１０
内の通水路を通り、吐水パイプ１１より吐水される。また、アルカリ水は排水連結管７へ流出し、水栓１０内の通水路を通り、排水パイプ１２より排水される。
【００４４】
そして、操作パネル１３で浄水が選択されている場合は、水道水は電解槽３２内で電気分解はされず、定められた流量比にて吐水連結管６への流出と、排水連結管７への流出を行い、それぞれ水栓１０内の通水路通り、吐水パイプ１１および排水パイプ１２より吐水される。
【００４５】
なお、浄水使用時に排水カット機能を設けた場合は、全流量が吐水連結管６へ流出し、水栓１０内の通水路を通り、吐水パイプ１１より吐水し、排水パイプ１２より排水されない。
【００４６】
次に、水栓１０の構造について図３〜図７を用いて詳細に説明する。
【００４７】
図３において、目的とする電解水を吐水するための吐水連結管６からの水は吐水パイプ１１より吐水されるようになっている。また、同時に生成される逆極性の電解水は排水連結管７へ流出し、水栓１０内の継手１６を通り、排水パイプ１２より排水される。このように、水栓１０では各々独立した配管構造となっている。継手１６は各々４つの独立した管路を構成しており、上記の吐水連結管６および排水連結管７とは別にカルシウム添加用往路管８とカルシウム添加用復路管９を備えている。構成としては吐水連結管６および排水連結管７の配管の空いた場所、例えば９０度ずれた位置に同様の配管スペースを設けて吐水側継手１７と接続される。
【００４８】
吐水側継手１７は本来の吐水パイプ１１への接続とは別にカルシウム添加用往路管８とカルシウム添加用復路管９に接続される配管とを備えている。
【００４９】
図３、図５および図７において、カルシウム添加部１４は、吐水側継手１７よりカルシウム添加継手１９に２つの開口部１９Ａ，１９Ｂが設けられており、開口部１９Ａはカルシウム添加用往路管８と連通し、開口部１９Ｂはカルシウム添加用復路管９と連通している。さらに、図６に示すように、吐水連結管６、排水連結管７、カルシウム添加用往路管８、カルシウム添加用復路管９が配されている。また、図７において、カルシウム添加用往路管８が吐水側継手１７の開口部１９Ａを介してカルシウム添加継手１９と連通され、二点鎖線で示すように、カルシウム添加用復路管９が開口部１９Ｂを介してカルシウム添加継手１９と連通されている。
【００５０】
なお、図３において、カルシウム添加部１４にはカルシウム添加キャップ１８が取り付けられている。このカルシウム添加キャップ１８は着脱可能な構成でメッシュフィルタ等により構成され、カルシウム添加部１４を構成する添加筒２０とともに着脱可能な構成となっている。
【００５１】
添加筒２０とカルシウム添加キャップ１８とはねじ結合するとともに、カルシウム添加キャップ１８は水栓１０とねじ結合している。これにより、カルシウム添加が必要な際はカルシウム添加キャップ１８を水栓１０から取り外すことで添加筒２０が一体に取り出せ、次にカルシウム添加キャップ１８と添加筒２０を外す。この際、Ｏリング１８Ａで水栓１０外への漏水が防止されるとともに、カルシウム添加継手１９との間のパッキン１８Ｂで水栓１０の内部への浸水が防止されて水栓１０内にある操作基板が被水から守られて誤動作や回路のショートが防止されていある。なお、符号２４は１９のカルシウム添加継手１９と吐水側継手１７とをシールするパッキンである。
【００５２】
以上のように構成された水栓１０における水通路について詳細に説明する。
【００５３】
操作パネル１３で必要とする操作を実施すると、整水器本体５内の電磁弁３９が通水路を開き、水道水は水道配管１から分岐水栓２、止水栓３、給水ホース４を介して整水器本体５に流入する。整水器本体５内では水道水は浄水カートリッジ３１で濾過される。
【００５４】
次に、濾過された浄水がカルシウム添加用往路管８によって水栓１０に送水され、継手１６の４つの分離された水通路から吐水側継手１７よび開口部１９Ａを経てカルシウム添加部１４のカルシウム添加継手１９に流入する。流入した濾過水は添加筒２０に収容されている食品添加物であるグリセロリン酸カルシウムを水流によって溶解しながら開口部１９Ｂへと流入する。グリセロリン酸カルシウムを溶解することで導電率が上昇し、電気分解が促進される水溶液として継手１６の他方の分離された水通路からカルシウム添加用復路管９を経て水栓から整水器本体に戻り、必要な電解制御を施された電解槽３２内で電気分解され、必要とする電解水は吐水連結管６へ流出し、水栓１０内の継手１６の通水路を通り、吐水側継手１７を経て吐水パイプ１１より吐水する。同時に生成された逆極性の電解水は電解槽３２で分離された他方の水通路より排水連結管７へ流入し、継手１６内の水通路から排水パイプ１２を経て排水される。
【００５５】
なお、図３および図６に示すように、カルシウム添加部１４を水栓１０の後部に配置すれば、カルシウム補給の際の操作性を失うことなく、日常における水栓１０の快適な使用を妨げることがない。
【００５６】
ここで、カルシウム添加時にカルシウム添加キャップ１８を回してカルシウム添加部１４を取り外すと吐水パイプ１１とカルシウム添加キャップ１８との位置に水頭差が生じ、カルシウム添加キャップ１８側よりの漏水が生じる可能性がある。また、万が一、カルシウム添加キャップ１８を外したのを忘れて通水操作を実施した場合も同様に漏水が発生してしまう。なお、図７が通常の使用状態、図８がカルシウム添加時等でカルシウム添加キャップ１８を外した状態を示した図である。
【００５７】
図７ではカルシウム添加部１４の添加筒２０により逆止弁（弁部材）２１が押されることにより開口部（流路）１９Ａが開いて通水が可能となる。また、図８において、カルシウム添加時等でカルシウム添加キャップ１８を外した状態の場合は添加筒２０が外されるため、逆止弁２１が付勢スプリング２３の作用で開口部１９ＡをＯリング２２で封止することになり、水の添加口よりの漏水が防止される。また、開口部１９Ｂ（流路）（二点差線）も同様な配置とする。これにより、水栓の止水時に吐水パイプ１１の位置水頭差による漏水が防止される。
【産業上の利用可能性】
【００５８】
本発明のアルカリイオン整水器は、シンク上の水栓にカルシウム添加部を設けているので、スライド収納式キッチン等であっても、収容物や引出しを取り出すことなく、またシンク下にもぐることもなく、立った姿勢で簡単にカルシウムの補充ができるという効果を有し、アルカリイオン水を生成する本体が水道配管と連結設置され、ホース等で水栓と本体が連結されるビルトインタイプのものとして有用である。
【図面の簡単な説明】
【００５９】
【図１】本発明の一実施の形態におけるシンクに設置されたビルトインタイプのアルカリイオン整水器を示す概略図
【図２】図１のアルカリイオン整水器の内部構造を示す説明図
【図３】図１のアルカリイオン整水器に設けられた水栓の長さ方向に沿った断面図
【図４】図１のアルカリイオン整水器に設けられた水栓の正面図
【図５】図３の水栓においてカルシウム添加配管部を拡大して示す断面図
【図６】図４の水栓の底面図
【図７】図３の水栓の径方向に沿った断面図
【図８】図３の水栓におけるカルシウム添加配管部のカルシウム添加筒を取り外したときの径方向に沿った断面図
【図９】従来におけるシンクに設置されたビルトインタイプのアルカリイオン整水器を示す概略図
【図１０】図９のアルカリイオン整水器の内部構造を示す説明図
【符号の説明】
【００６０】
１    水道配管
２    分岐水栓
３    止水栓
４    給水ホース
５    整水器本体
６    吐水連結管
７    排水連結管
８    カルシウム添加用往路管
９    カルシウム添加用復路管
１０    水栓
１１    吐水パイプ
１２    排水パイプ
１３    操作パネル
１４    カルシウム添加部
１５    信号ケーブル
１６    継手
１７    吐水側継手
１８    カルシウム添加キャップ
１９    カルシウム添加継手
２０    添加筒
２１    逆止弁（弁部材）
２２    Ｏリング
２３    付勢スプリング
２４    パッキン
３０    定流量弁
３１    浄水カートリッジ
３２    電解槽
３３    逆止弁
３４    流量センサ
３５    電磁弁
３９    電磁弁
【図１】
2005177657.tif 000003
【図２】
2005177657.tif 000004
【図３】
2005177657.tif 000005
【図４】
2005177657.tif 000006
【図５】
2005177657.tif 000007
【図６】
2005177657.tif 000008
【図７】
2005177657.tif 000009
【図８】
2005177657.tif 000010
【図９】
2005177657.tif 000011
【図１０】
2005177657.tif 000012